(57)【要約】【課題】  双方向通信システムにおいて、ＧＰＳ受信機を利用することにより、電力および他のパラメータを最適に制御する。【解決手段】  複数の送信機（９０，９４，９９）を有するメッセージング・システムにおける選択呼出トランシーバ（２０）は、受信機モジュール（２６）と、前記受信機モジュールに結合された送信機モジュール（２２）と、前記受信機モジュールおよび前記送信機モジュールに結合され、前記選択呼出トランシーバの動作を制御するためのコントローラとによって構成される。さらに、選択呼出トランシーバは、ＧＰＳ情報を受信するために前記コントローラに結合されたＧＰＳ受信機（２４）も含み、前記コントローラは、前記ＧＰＳ情報を利用して、送信機電力制御，サイト選択切り換え，サブゾーン選択切り換え，順方向誤り訂正，リトライ送信判定，ドップラ周波数シフト，同期および周波数走査ならびに選択からなるグループから選択される機能の制御を支援する。【選択図】      図４
2010114944.tif 000002
【特許請求の範囲】
【請求項１】
通信システム（１００）における移動加入者ユニットが備える選択呼出トランシーバ（２０）であって、
前記通信システム（１００）は、それぞれ自己の基地局位置を有する複数の基地局を備え、それぞれ前記基地局は基地局送信機（９０，９４，９９）と基地局受信機（９２，９６，９８）を備え、
前記選択呼出トランシーバ（２０）は受信機モジュール（２６）、送信機モジュール（２２）、ＧＰＳ受信機（２４）、およびコントローラ（２８）を有し、前記コントローラ（２８）は前記受信機モジュール（２６）、前記送信機モジュール（２２）、および前記ＧＰＳ受信機（２４）にそれぞれ連結され、
前記ＧＰＳ受信機（２４）はＧＰＳ情報を受信し、前記ＧＰＳ情報は正確な時間信号を含み、
前記コントローラ（２８）は、システムカバレッジを失った期間中でも、前記通信システムとの同期を維持できることを特徴とする、選択呼出トランシーバ（２０）。
【請求項２】
通信システム（１００）における移動加入者ユニットが備える選択呼出トランシーバ（２０）であって、
前記通信システム（１００）は複数の基地局を有し、それぞれ前記基地局は既知の前記基地局位置を有する基地局送信機（９０，９４，９９）と基地局受信機（９２，９６，９８）を有し、
前記選択呼出トランシーバ（２０）は受信機モジュール（２６）、送信機モジュール（２２）、コントローラ（２８）、およびＧＰＳ受信機（２４）を有し、
前記コントローラ（２８）は前記受信機モジュール（２６）、前記送信機モジュール（２２）、および前記ＧＰＳ受信機（２４）にそれぞれ連結され、
前記ＧＰＳ受信機（２４）はＧＰＳ情報を受信し、前記ＧＰＳ情報は前記選択呼出トランシーバの方向と速度を含み、
前記コントローラ（２８）は、前記速度に応じて、前記送信機モジュール（２２）からの周波数送信の順方向誤り訂正アルゴリズムを行うか、
前記速度と前記方向を把握することによって、前記送信機モジュール（２２）から既存のサイトへの無駄な再送信を防ぎ、前記選択呼出トランシーバが移動する予定の隣接サイトに対して有用な再送信を行なうことを特徴とする、選択呼出トランシーバ（２０）。
【請求項３】
前記ＧＰＳ情報は、前記選択呼出トランシーバの携帯加入者位置を含み、
前記選択呼出トランシーバは更に、受信信号強度インジケータとメモリを備え、
前記受信信号強度インジケータは、前記受信機モジュールと前記コントローラにそれぞれ結合され、前記受信信号強度インジケータは、前記受信機モジュールで受信するそれぞれ前記基地局送信機からの受信信号の強度を測定し、
前記メモリは、それぞれ前記基地局位置を格納し、
前記コントローラは、前記選択呼出トランシーバの前記携帯加入者位置を、前記受信信号の強度とともに前記基地局位置と比較することによって、前記送信機モジュールを電力調整する、請求項４または５記載の選択呼出トランシーバ。
【請求項４】
前記ＧＰＳ情報は、前記選択呼出トランシーバの携帯加入者位置を含み、
前記コントローラは、前記携帯加入者位置を、前記通信システム（１００）内の前記基地局位置と比較することによって、前記送信機モジュール（２２）からの電力を調整するか、または所望の前記基地局送信機から来る電力を調整する、請求項４または５記載の選択呼出トランシーバ。
【請求項５】
選択呼出トランシーバ（２０）の制御方法であって、前記選択呼出トランシーバ（２０）は、複数の基地局を有する通信システム（１００）における移動加入者ユニットによって備えられ、それぞれ前記基地局は自己の基地局位置を有し、且つ、基地局送信機（９０，９４，９９）と基地局受信機（９２，９６，９８）を有し、
選択呼出トランシーバ（２０）は受信機モジュール（２６）、送信機モジュール（２２）、コントローラ（２８）、およびＧＰＳ受信機（２４）を有し、前記コントローラ（２８）は前記受信機モジュール（２６）、前記送信機モジュール（２２）、および前記ＧＰＳ受信機（２４）にそれぞれ連結され、前記制御方法は、
前記ＧＰＳ受信機（２４）によってＧＰＳ情報を受信することによって、正確な時間信号を把握するステップと、
前記コントローラ（２８）によって、システムカバレッジを失った期間中でも、前記通信システムとの同期を維持するステップと
を有することを特徴とする、選択呼出トランシーバ（２０）の制御方法。
【請求項６】
選択呼出トランシーバ（２０）の制御方法であって、前記選択呼出トランシーバ（２０）は、複数の基地局を有する通信システム（１００）における移動加入者ユニットによって備えられ、それぞれ前記基地局は自己の基地局位置を有し、且つ、基地局送信機（９０，９４，９９）と基地局受信機（９２，９６，９８）を有し、
選択呼出トランシーバ（２０）は受信機モジュール（２６）、送信機モジュール（２２）、コントローラ（２８）、およびＧＰＳ受信機（２４）を有し、前記コントローラ（２８）は前記受信機モジュール（２６）、前記送信機モジュール（２２）、および前記ＧＰＳ受信機（２４）にそれぞれ連結され、前記制御方法は、
前記ＧＰＳ受信機（２４）によってＧＰＳ情報を受信することによって、前記選択呼出トランシーバの方向と速度を把握するステップと、
前記コントローラ（２８）によって、前記速度に応じて、前記送信機モジュール（２２）からの周波数送信の順方向誤り訂正アルゴリズムを行うか、あるいは、前記速度と前記方向を把握することによって、前記送信機モジュール（２２）から既存のサイトへの無駄な再送信を防ぎ、前記選択呼出トランシーバが移動する予定の隣接サイトに対して有用な再送信を行なうステップと
を有することを特徴とする、制御方法。
【発明の詳細な説明】
【技術分野】
【０００１】
本発明は、一般に、双方向通信システムにおけるＧＰＳ(global positioning satellite system) 情報の利用に関し、さらに詳しくは、双方向通信システムにおいて電力および他のパラメータを制御するためにＧＰＳ受信機を利用することに関する。
【背景技術】
【０００２】
双方向ページングの登場は、多くのシステム問題ならびに携帯加入者ユニットにおいて効率化を必要とする問題を提起する。従来の単方向ページング加入者ユニットに送信機を追加することで、バッテリ寿命は従来以上に重要になる。システム・レベルでは、携帯加入者ユニットの送信機は多くの利点を提供するが、更なる改善が依然必要である。例えば、発信側ページング送信機から携帯加入者ユニットへ、あるいは携帯加入者ユニットからシステムに着信する送信電力を調整しないシステムは、全体的なシステム効率だけでなく、加入者ユニットにおけるバッテリ寿命も低減する。送信機が不必要にフルパワーで送信すると、システム容量が損なわれ、オン・チャネル相互変調(on-channel intermodulation)の危険が増加する。ＲＳＳＩ(Received Signal Strength Indicator)測定，ＳＱＥ(Signal Quality Evaluation) 測定および／またはカラー・コードを利用して送信電力を調整したり、あるいは送信サイト選択判定を行う既存の方法がある。
【発明の概要】
【発明が解決しようとする課題】
【０００３】
これらの方法は多くの場合十分であるが、正確ではない。例えば、これらの方法は地形を考慮に入れておらず、また自動的な「境界(boundary)」サイト切り換えを行うことができない。従って、携帯加入者ユニットにおける地理情報は、多くの動作を制御する上で役立つ。よって、携帯加入者ユニットの送信機からあるいは発信側送信機のいずれかからの電力送信レベルを最適化するために地理情報を組み込む必要がある。
【０００４】
さらに、地理情報は、とりわけ、サイト選択判定，バッテリ寿命および同期を改善する他の効果も提供する。
【課題を解決するための手段】
【０００５】
上記問題点を解決するために、請求項１に記載の発明は、複数の送信機を有する通信システムにおいて使用するための選択呼出トランシーバであって、受信機モジュールと、前記受信機モジュールに結合された送信機モジュールと、前記受信機モジュールおよび前記送信機モジュールに結合され、前記選択呼出トランシーバの動作を制御するためのコントローラと、前記コントローラに結合された、ＧＰＳ情報を受信するためのＧＰＳ受信機とを備え、前記コントローラは、前記ＧＰＳ受信機によって提供されるＧＰＳ情報を用いて、通信機能の制御を支援するように動作可能であり、前記コントローラは、前記ＧＰＳ受信機によって提供されるＧＰＳ情報を、前記通信システム内の少なくとも一つの送信機のサイト座標と比較して、前記複数の送信機のうちの少なくとも一つの電力を調整するための信号を発信するように動作可能であることを要旨とする。
【０００６】
請求項２に記載の発明は、請求項１に記載の選択呼出トランシーバにおいて、前記コントローラは、前記選択呼出トランシーバに送信する複数の送信機のうちの少なくとも一つからのアウトバウンド送信電力レベルを調整するため、および前記選択呼出トランシーバからの送信電力レベルを調整するために、前記ＧＰＳ受信機によって提供される位置情報を、前記通信システム内の送信機のサイト座標と比較するように動作可能であることを要旨とする。
【０００７】
請求項３に記載の発明は、請求項１または２に記載の選択呼出トランシーバにおいて、前記コントローラは、前記ＧＰＳ受信機によって提供される位置情報を用いて、前記選択呼出トランシーバの方向および速度を判定するように動作可能である、ことを要旨とする。
【０００８】
請求項４に記載の発明は、請求項１乃至３のいずれか１項に記載の選択呼出トランシーバにおいて、前記コントローラは、前記ＧＰＳ受信機によって提供される位置情報を用いて、順方向誤り訂正，再送信判定，ドップラ周波数シフトおよびサブゾーン選択切り換え、サイト選択切り替え、同期、および周波数走査および選択のうちから選択される少なくとも一つの付加的な機能を支援することを要旨とする。
【０００９】
請求項５に記載の発明は、請求項１乃至４のいずれか１項に記載の選択呼出トランシーバにおいて、前記受信機モジュールは自動利得コントローラを有し、前記送信機モジュールは電力増幅器を有し、前記コントローラは、無線受信信号強度表示およびＧＰＳ受信機からの位置情報を利用することにより、前記自動利得コントローラにおける利得を制御し、かつ前記電力増幅器における送信電力を制御するように動作可能であることを要旨とする。
【００１０】
請求項６に記載の発明は、請求項１乃至５のいずれか1 項に記載の選択呼出トランシーバにおいて、前記選択呼出トランシーバは、前記受信機モジュールおよび前記コントローラに結合され、該選択呼出トランシーバに送信する複数の送信機のうちの少なくとも一つについて受信信号強度の測定を与えるための受信信号強度インジケータと、前記少なくとも一つの送信機に対応するサイト座標を格納するメモリとを備え、前記コントローラは、前記位置情報を前記受信信号強度測定とともに前記サイト座標と比較して、最適な効率を得るために前記トランシーバの送信機モジュールからの電力を調整するように動作可能であることを要旨とする。
【００１１】
請求項７に記載の発明は、既知の座標を有する複数の送信機を有するメッセージング・システム内で動作可能であり、トランシーバおよびＧＰＳ受信機を有する双方向選択呼出加入者装置の動作を制御する方法であって、緯度情報、経度情報および速度情報のうちから選択される情報を、ＧＰＳ受信機から取得する工程と、受信信号強度測定を取得する工程と、既知の送信機座標のルックアップ・テーブルにアクセスして、前記既知の送信機座標をＧＰＳ受信機から取得した情報と比較する工程と、前記ＧＰＳ受信機から取得した情報、前記受信信号強度測定および前記既知の送信機座標に基づいて、前記メッセージング・システムの送信電力レベルを、任意で前記メッセージング・システムの少なくとも一つの動作パラメータとともに制御する工程とを有することを要旨とする。
【００１２】
請求項８に記載の発明は、請求項７に記載の方法において、双方向選択呼出加入者装置のトランシーバ内の送信機の電力レベルを調整する工程を含むことを要旨とする。
請求項９に記載の発明は、請求項７または８に記載の方法において、前記双方向選択呼出加入者装置内の自動利得コントローラの電力を調整することにより、前記メッセージング・システムの動作を制御する工程を含むことを要旨とする。
【００１３】
請求項１０に記載の発明は、請求項７乃至９のいずれか１項に記載の方法において、前記送信機は、既知の座標を有する複数の基地局トランシーバからなり、該方法は、前記双方向選択呼出加入者装置において、前記複数の基地局トランシーバのうちの少なくとも一つの基地局受信機感度測定を取得する工程を有し、前記メッセージング・システムの動作の制御は、前記ＧＰＳ受信機から取得した情報および前記基地局受信機感度測定に基づいて実施され、前記ＧＰＳ受信機から取得した情報を用いて、前記基地局トランシーバと前記双方向選択呼出加入者装置との間の最短距離を有する、前記複数の基地局トランシーバのうち少なくとも一つを選択し、かつ前記基地局受信機の感度の把握に基づいて、前記双方向選択呼出加入者装置から前記選択された基地局トランシーバに送信される電力レベルを調整することを含むことを要旨とする。
【００１４】
複数の送信機を有する通信システムにおけるトランシーバは、受信機モジュールと、前記受信機モジュールに結合された送信機モジュールと、前記受信機モジュールおよび前記送信機モジュールに結合され、前記トランシーバの動作を制御するコントローラとによって構成される。さらに、前記トランシーバは、ＧＰＳ情報を受信するために前記コントローラに結合されたＧＰＳ受信機によって構成され、前記コントローラはＧＰＳ情報を利用して、送信機電力制御，サイト選択切り換え，サブゾーン選択切り換え，順方向誤り訂正，リトライ送信判定，ドップラ周波数シフト，同期または周波数走査および選択からなるグループから選択される機能の制御を支援する。
【００１５】
本発明の別の態様では、既知の座標を有する複数の送信機を有するメッセージング・システム内で、ＧＰＳ受信機を有する加入者装置の動作を制御する方法は、前記ＧＰＳ受信機からＧＰＳ情報を取得する段階と、既知の送信機座標を有するメモリ番地にアクセスする段階と、前記既知の送信機座標を前記ＧＰＳ情報と比較する段階とによって構成される。次に、前記方法は、前記ＧＰＳ情報および前記既知の送信機座標とに基づいて、前記メッセージング・システムの動作を制御する。
【図面の簡単な説明】
【００１６】
【図１】既知の双方向メッセージング・システムのシステム・ブロック図。
【図２】本発明によるトランシーバのブロック図。
【図３】本発明による双方向ページング・システムのシステム・ブロック図。
【図４】本発明による双方向ページング・システムの別のシステム・ブロック図。
【図５】本発明による通信システムにおける地理的な制御方法のフローチャート。
【発明を実施するための形態】
【００１７】
好適な実施例の説明第１図を参照して、既存のシナリオを示し、ここで移動加入者ユニット１６は通信システム１０内でゾーンＡ（１２）からゾーンＢ（１４）に移動中であり、加入者ユニットは第１基地局１７から第２基地局１８にハンドオーバを実施し、第２基地局１８からのＲＳＳＩ（またはＳＱＥ）測定に基づいて自局の送信電力を調整する。ただし、この情報は、他の条件のために利用される空中プロトコル(over-the-air protocol) のオーバヘッドを必要とする。また、信号強度ではなく地理的な境界に基づいて、多重サイト・ネットワークのハンドオーバがより有利かもしれないところでは、問題が生じる。着信側または発信側あるいはその両方のＲＳＳＩまたはＳＱＥに基づく最良サイトの選択は、ハンドオーバまたはターゲット向けメッセージ伝達(targeted message delivery) にとって必ずしも最良の選択であるとは限らないことがある。そのため、地理的情報（ならびに同期の場合にはタイミング情報）を利用することは、ハンドオーバ，ターゲット向けメッセージ伝達，電力調整などの判定の効率および精度を大幅に向上させる。従って、本発明は、ＧＰＳ衛星受信機からの地理的情報（ならびに同期の場合にはタイミング情報）を利用して、より堅牢な双方向通信システムを提供する。
【００１８】
第２図を参照して、選択呼出トランシーバ２０は、好ましくは、受信機モジュール２６と、受信機モジュール２６に結合されたコントローラ２８と、送信機モジュール２２とによって構成され、コントローラは選択呼出トランシーバ２０の動作を制御する。また、選択呼出トランシーバは、コントローラ２８に結合され、ＧＰＳ情報を受信するためのＧＰＳ受信機をさらに含んで構成される。コントローラ２８は、ＧＰＳ情報を利用して、送信機電力制御，サイト選択切り換え，サブゾーン選択切り換え，順方向誤り訂正，リトライ送信判定，ドップラ周波数シフト，同期または周波数走査および選択からなるグループから選択される一つまたはそれ以上の機能の制御を支援する。ＧＰＳ受信機２４は、これらすべての機能について地理的情報およびタイミング情報を与えるが、一般に送信機電力制御，サイト選択切り換えおよびサブゾーン選択切り換えについて、ＧＰＳ受信機は地理的情報を与え、この情報は、電力増幅器３２の調整を介して送信機モジュール２２からの電力を調整するために、メッセージング・システム内の送信機または基地局受信機のサイト座標と比較される。サイト座標は、好ましくは、選択呼出トランシーバ２０のメモリ番地３０内に格納される。サイト座標は、好ましくは、データベースまたはルックアップ・テーブルに格納でき、また発信側送信機局９０におけるメモリ番地９１（第４図）に格納してもよい。さらに、あるいは代替的には、メモリ番地（３０または９０）は、望ましいソースと、干渉を生じさせるかもしれない望ましくないソースの座標を格納できる。従って、選択呼出トランシーバが所望の送信機の近くであるが、隣接チャネル干渉の既知のソースの近傍内にもある場合、システムは隣接チャネル干渉を克服するため、この所望の送信機から来る電力を調整する（あるいはこの場合はおそらく調整しない）。
【００１９】
代替的には、あるいは送信機モジュール２２における調整の他に、受信機モジュール２６内の自動利得コントローラ（ＡＧＣ）３４における利得を調整して、選択呼出トランシーバ２０を利用して通信システムを最適化できる。受信機２６において受信した電力レベルが高い場合、ＡＧＣ３４は利得を低減し、携帯加入者ユニットまたは選択呼出トランシーバ２０におけるさらなるバッテリ節電を行うことができる。相互変調を制限するために基地局トランシーバからの電力が低減されるか、あるいは発信信号がそもそも弱い場合、ＡＧＣ３４の利得を増加できる。従って、この場合、加入者ユニット側のわずかなバッテリ寿命を犠牲にして、全体的なシステム性能が改善される。あるいは、受信機モジュール２６は、着信信号の受信信号強度を測定または推定するためにＲＳＳＩユニット２９をさらに含む。
【００２０】
システム性能は、信号品質測定を利用するシステムではさらに向上でき、ここで基地局送信機電力はこれらの測定に基づいて低減できる。受信機（またはトランシーバの受信機部）において復号するのに必要な電力のみで送信することは、搬送波対干渉レベル(Carrier to Interference level) ，再利用能力，測定精度および容量を改善する。大きすぎる電力で送信すると、信号品質測定を行う際にＡＧＣに負担をかけすぎる傾向がある。ＧＰＳを利用することにより、基地局送信機は、ユニットが基地局送信機サイトに近い場合に、自局の電力を低下して、ＡＧＣ飽和を軽減でき、また信号品質測定を改善できる。
【００２１】
なお、選択呼出トランシーバ２０は、送信機２２，ＧＰＳ受信機２４および受信機２６のそれぞれについて個別のアンテナ２３，２５，２７を示していることに留意されたい。当技術分野では、受信機２６および送信機２２の両方に一つのアンテナを利用することは周知である。あるいは、選択呼出受信機２０は、３つの個別のアンテナの代わりに、一つのアンテナ２１のみを利用する。なお、複数のアンテナは同一ケースに収容できることが理解される。
【００２２】
第３図を参照して、ＧＰＳ情報を提供する通信システム５０内のＧＰＳ受信機が双方向選択呼出トランシーバ６０などの移動加入者ユニット内に配置されるか、あるいはＧＰＳ情報５２をトランシーバ６０に少なくとも与える場合、加入者ユニットの既知のＧＰＳ部分は、最寄りのローカル基地局受信機までの距離を判定するために利用できる。最寄りの基地局受信機の位置は、好ましくは基地局受信機位置マップ５４の形式で、コード・プラグ・テーブル(code plug table) に格納される。受信側基地局までの最短距離は、ＧＰＳ情報から簡単に計算される。選択呼出トランシーバ６０に結合された加入者コントローラ５８は、好ましくは、最短距離対送信電力テーブル(Minimum Distance vs. Transmit Power Table) ５６を参照して、必要な電力増幅器設定を判定し、次に送信出力電カレベルは送信増幅器およびバイアス・コントローラ６２を利用して調整される。このように、加入者コントローラ５８は、加入者出力電力の振幅を軽減し、バッテリ寿命を節約する。
【００２３】
ここで第４図を参照して、複数の送信機９０，９４，９９と、この複数の送信機それぞれと通信する複数の選択呼出トランシーバ２０，８０，７０と、送信機から離間して位置する、あるいは基地局送信機９０および基地局受信機９８の組み合わせのように送信機と同一位置にある複数の基地局受信機９２，９６，９８とを有するメッセージング・システム１００を示す。好ましくは、選択呼出トランシーバ２０，７０，８０は、第２図で説明した選択呼出トランシーバ２０と同じもしくは同様である。
【００２４】
一実施例において、ＧＰＳ衛星９７は、選択呼出トランシーバ２０においてＧＰＳ受信機２４を設けて、地理的情報を提供し、この地理的情報は、選択呼出トランシーバに送信する複数の送信機のうちの少なくとも一つ（９０）からの電力を調整するために、メッセージング・システム１００における送信機のサイト座標と比較される。この場合、ＧＰＳ情報は、選択呼出トランシーバ２０からメッセージング・システムに着信送信され、システムが地理的情報に基づいて判定を行うことを可能にする。サイト座標は、選択呼出トランシーバ２０内のメモリ番地３０内に格納してもよく、あるいは発信側送信局９０のメモリ番地９１に格納してもよい。本発明の更なる改良例では、選択呼出トランシーバ２０は、地理的情報とともにＲＳＳＩ測定を利用して、送信機モジュール２２における電力、もしくは送信機９０からの電力を調整できる。さらに別の実施例では、地理的情報は、選択呼出トランシーバ２０に送信する複数の送信機のうちの少なくとも一つ（９０）からの発信側電力送信と、選択呼出トランシーバ２０からの着信側電力送信の両方を調整できる。
【００２５】
加入者側でＧＰＳ情報を利用することは、電力制御を助けるだけでなく、サイト選択切り換え，サブゾーン選択切り換え，順方向誤り訂正，リトライ送信判定，ドップラ周波数シフト，同期，周波数走査および周波数選択にも役立つ。メッセージング・システムとの同期が失われた場合、典型的なシステムでは同期を再獲得するのに数分要することがある。しかし、加入者ユニットがＧＰＳ受信機と結合されている場合、ＧＰＳ情報信号が正確な時間信号を含むので、システム・カバレッジを失った期間中でも同期を維持できる。加入者ユニットの方向および速度を知ることは、順方向誤り訂正アルゴリズム，周波数再利用プラン選択，リトライ方法およびサブゾーン選択切り換えにとって有利である。順方向誤り訂正について、異なる速度では異なる順方向誤り訂正方式が最良に機能する。従って、本発明の一実施例は、判定される速度に応じて変化する順方向誤り訂正方式を確実に含むことができる。そのため、ＧＰＳ受信機に結合された加入者ユニットは、速度を正確に判定できるので、これらの利点を提供する。加入者ユニットの位置を知ることは、再送信のために更なる効果を有する。例えば、ＧＰＳ受信機を具備する加入者ユニットは自局の位置を識別できるので、基地局送信機から「自局位置（ＷＲＵ：whe re are you ）」要求を送信する必要がない。別の例では、システムが加入者の速度および方向を把握している場合に、既存のサイトへの無駄な再送信を防ぐことができ、加入者が移動する予定の隣接サイトに対して有用な再送信が送出される。
【００２６】
InFLEXion （商標）およびReFLEX（商標）などの双方向ページング・システムは、ターゲット向けメッセージング(targeted messaging)を利用する。カラー・コードまたはＲＳＳＩを利用する従来の方法は、適正送信機を見つける可能性が低い。
【００２７】
ＧＰＳと、加入者ユニットまたはシステム・コントローラのいずれかに格納されたサイト座標のデータベースとあいまって、加入者ユニットは適正送信機をより高い精度で選択できる。これはまた、ユーザがカバー・エリアを移動する際のサブゾーンの選択や、周波数走査時間短縮のためにユーザがどの都市に到着したかを把握することにも拡張できる。
【００２８】
ドップラ周波数シフトについて、加入者ユニットは、基地局送信機または基地局受信機に対する加入者ユニットが移動する速度に基づいて、所定の量だけオフ周波数を送信または受信する。加入者ユニットが７０マイル毎時で基地局受信機に向かって送信・移動中の場合、９００ＭＨｚの着信側送信は約９４Ｈｚのドップラ・シフトを生じ、このドップラ・シフトは、局所発振器を調整して、加入者ユニットにおける送信周波数を低減するか、あるいは基地局受信機における受信周波数を増加することによって考慮できる。ドップラ・シフトは次のように簡単に計算できる：  Ｃｏｓ（ｑ）×１．４９×Ｖ［ｍｐｈ］×Ｆ［Ｇｈｚ］＝１．４９×７０×．９＝９３．８７Ｈｚ
ここで、ｑは、携帯加入者ユニットと基地局サイトをつなぐラインと、移動方向を示すラインとによって作られる角度である（ただし、この例では、Ｃｏｓ（ｑ）＝１と仮定する）。これは、周波数を増減するためにプラス（＋）またはマイナス（−）表示を行う。ＧＰＳは移動方向および携帯加入者位置を把握しており、基地局位置は既知であるので、すべての情報は角度ｑを求めるために判明している。同様に、加入者ユニットが基地局受信機から離れつつある場合、ドップラ・シフトは、局所発振器を調整して、加入者ユニットにおける送信周波数を増加するか、あるいは基地局受信機における受信周波数を低減することによって考慮できる。それに応じて、基地局送信機が７０マイル毎時で近づきつつある加入者ユニットに送信中の場合、９００ＭＨｚの発信側送信は約９４Ｈｚのドップラ・シフトが生じ、このドップラ・シフトは、局所発振器を調整して、基地局送信機における送信周波数を低減するか、あるいは加入者ユニットの受信機における受信周波数を増加することによって考慮できる。同様に、加入者ユニットが基地局送信機から離れつつある場合、ドップラ・シフトは、局所発振器を調整して、基地局送信機における送信周波数を増加するか、あるいは加入者ユニットの受信機における受信周波数を低減することによって考慮できる。周波数は、加入者または基地局内の送信機または受信機ＶＣＯ（図示せず）の制御電圧を変えることによって変更できる。
【００２９】
第５図を参照して、既知の座標を有する複数の送信機を有するメッセージング・システム内で、ＧＰＳ受信機を有する双方向選択呼出加入者装置の動作を制御する方法２００を示す。方法２００は、緯度，経度および速度のグループから選択される情報からなるＧＰＳ情報を、ＧＰＳ受信機から選択呼出受信機にて取得するステップ２０２によって構成される。ステップ２０４において、双方向選択呼出加入者装置は、受信信号強度測定を取得する。判定ブロック２０６において、方法２００は、ＧＰＳ情報を利用するかどうかを判定する。ＧＰＳ情報を利用する場合、ステップ２０８において、既知の送信機座標のルックアップ・テーブルにアクセスして、既知の送信機座標はＧＰＳ情報と比較される。最後に、ステップ２１０において、メッセージング・システムの動作は、ＧＰＳ情報と、受信信号強度測定と、既知の送信機座標とに基づいて制御される。判定ブロック２０６において、ＧＰＳ情報を利用しないと判定された場合、ステップ２０７においてハンドオーバおよび電力制御のためにＲＳＳＩまたはＳＱＥが利用される。あるいは、判定ブロック２０６を飛び越えて、経路２０９からステップ２１０に進み、ステップ２０２およびステップ２０４のそれぞれでＧＰＳ情報およびＲＳＳＩまたはＳＱＥ情報を取得した後に、加入者電力の調整またはサイト切り換えを直接行うことができる。
【００３０】
ステップ２１０においてメッセージング・システムの動作を制御するステップは、双方向選択呼出加入者装置内の送信機の電力を調整する、および／または双方向選択呼出加入者ユニットに対するメッセージング・システム内の複数の送信機のうちの一つ以上の電力を調整することでもよい。また、メッセージング・システムの動作を制御するステップは、双方向選択呼出加入者装置内の自動利得コントローラの電力を制御することでもよい。さらに、メッセージング・システムの動作を制御するステップは、新たなサイトまたはサブゾーンに切り換えることでもよい。
【００３１】
本発明は、双方向ページング・システムに適用可能なだけでなく、モトローラ杜のiDEN，SmartZone ，Coverage Plus システムなどの他の通信システムや、他のディスパッチ，セルラおよびデータ・システムにも同様に適用できる。本発明では、加入者ユニットにおいてＧＰＳ位置情報およびサイト座標を利用することにより、自動的な切り換え，ハンドオーバまたはターゲット向けメッセージ伝達を、ユーザによる手動切り換えなしに行うことができる。iDENまたはセルラなどの広域システムでは、地理的な切り換えはある程度のオーバヘッドまたはパイロットを省くことができ、またより正確なサイト切り換えまたはハンドオーバのために、この情報に加えて利用できる。ＡＭＳＳまたはS martZone などのシステムでは、ＲＳＳＩ切り換えの代わりに、あるいはＲＳＳＩ切り換えに加えて、地理的な切り換えを利用できる。これらは、既存のシステムが本発明を取り入れることによって得られる更なる効果のわずかな例にすぎない。
【００３２】
携帯加入者ユニットにおけるＧＰＳ情報の広い適用可能性の最後の例として、本発明は、本明細書に参考として含まれる米国特許第５，２５７，４０８号に記載されるように、同一サイトへの発信側トラヒックと着信側トラヒックとの間のリンク・マージンの差を判定することに基づいて出力電力の調整を支援することにも利用できる。基地局送信機が自局の（ａ）ＥＲＰ(Effective Radiated Power)および（ｂ）基地局受信機のＥＲＳ(effective receiver sensitivity)を信号に重畳でき、かつ携帯加入者ユニットが（ｃ）自局のＥＲＰおよび（ｄ）自局のＥＲＳを把握していれば、発信側リンク（（ａ）‐（ｄ））および着信側リンク（（ｃ）‐（ｂ））を計算できる。この発信側と着信側との間の差は、リンク・バジェット(link budget) の差を表し、これは、信頼性を低下させずに、バッテリ寿命を節約するために加入者ユニットのＥＲＰを低減する方法として利用できる。この方法を利用する一実施例では、基地局受信機のサイト座標と、サイト座標に伴うＥＲＳとを携帯加入者ユニット内に格納できる（第２図および第３図を参照）。そのため、ＧＰＳ情報から自局の位置を把握している加入者ユニットは、距離と、関連する基地局受信機のＥＲＳとに基づいて、携帯加入者ユニットからの送信電力の必要が最も少ない、送信すべき最良の基地局受信機を選択および／または計算できる。もちろん、加入者ユニットにおいてメモリが制限されている場合や、全体的な基地局受信機座標リストまたはデータベースが、特に移動加入者ユニットについて非現実的である場合に、基地局送信機は、基地局受信機座標および基地局受信機の関連ＥＲＳを加入者ユニットに、好ましくはまたは同様に簡単に送信できる。
【００３３】
以上、開示の実施例は一例に過ぎず、本発明はそれに限定されないことが理解される。当業者であれば、請求の範囲に定められるように、本発明の範囲内で変更および修正が可能なことが理解されよう。
【符号の説明】
【００３４】
１０，５０…通信システム、１７，１８…基地局、２０，６０，７０，８０…選択呼出トランシーバ、２２…送信機モジュール、２４…ＧＰＳ受信機、２６…受信機モジュール、２８…コントローラ、５２…ＧＰＳ情報，１００…メッセージング・システム
【図１】
2010114944.tif 000003
【図２】
2010114944.tif 000004
【図３】
2010114944.tif 000005
【図４】
2010114944.tif 000006
【図５】
2010114944.tif 000007